(57)【要約】【課題】暗証番号入力時における覗き見による暗証番号の漏えいを防止し、且つ効率的な暗証番号の入力を可能とする。【解決手段】自動取引装置１０は、利用者に操作画面を表示するための入力操作部１２と、暗証番号入力画面を入力操作部１２に表示する入力画面表示手段３１ａと、利用者が入力する２つの数値に基づき、暗証番号の特定桁の数値を生成するための演算の種類を利用者に選択させる演算選択手段３１ｂと、入力された２つの数値に対し、選択された演算を行って暗証番号の特定桁の数値を求める暗証番号演算手段３１ｃとを有している。  そのため、第三者の覗き見があったとしても、第三者が暗証番号を把握することができないという効果がある。更に、テンキー１２ｃでの入力おいて、２つの数字の同時押下を有効としたので、暗証入力に係る時間を短縮することができる。【選択図】図１
2012103887.tif 000002
【特許請求の範囲】
【請求項１】
利用者の操作によって取引を行う自動取引装置において、
前記利用者に操作画面を表示し、入力を促すための入力操作部と、
前記利用者に対し、暗証番号の入力を促す暗証番号入力画面を前記入力操作部に表示する入力画面表示手段と、
前記利用者が前記暗証番号入力画面を用いて入力する２つの数値に基づき、前記暗証番号における特定桁の数値を生成するための演算の種類を前記利用者に選択させる演算選択手段と、
前記利用者の入力する前記２つの数値に対し、前記利用者が選択した前記演算を行って前記暗証番号における前記特定桁の数値を求める暗証番号演算手段と、
を有することを特徴とする自動取引装置。
【請求項２】
前記入力操作部は、
前記利用者の指の押下を検知するタッチパネルを有し、
前記タッチパネルには、
テンキー部を有する前記暗証番号入力画面が表示され、
前記テンキー部の２つの数字が同時に押下されたときには、前記２つの数値として区分し、前記暗証番号演算手段に入力することを特徴とする請求項１記載の自動取引装置。
【請求項３】
前記利用者が選択する前記演算は、
加法、減法、乗法、又は除法のいずれか１つであることを特徴とする請求項１又は２記載の自動取引装置。
【請求項４】
利用者に操作画面を表示して入力を促すための入力操作部を有し、前記利用者の操作によって取引を行う自動取引装置における暗証番号入力方法であって、
前記利用者に対し、暗証番号の入力を促す暗証番号入力画面を前記入力操作部に表示する入力画面表示処理と、
前記利用者が前記暗証番号入力画面を用いて入力する２つの数値に基づき、前記暗証番号における前記特定桁の数値を生成する演算の種類を前記利用者に選択させる演算選択処理と、
前記利用者の入力する前記２つの数値に対し、前記利用者が選択した前記演算を行って前記暗証番号における前記特定桁の数値を求める暗証番号演算処理と、
を有することを特徴とする暗証番号入力方法。
【請求項５】
前記暗証番号演算処理は、
前記特定桁の数値を求めた後、前記特定桁が最終桁でなかったときには、
前記利用者の入力する次の前記２つの数値に対し、前記演算の種類を変更することなく前記演算を行って前記暗証番号の次の桁の数値を求め、
前記特定桁の数値を求めた後、前記特定桁が最終桁であったときには、
暗証番号入力処理を終了することを特徴とする請求項４記載の暗証番号入力方法。
【請求項６】
前記暗証番号演算処理は、
前記特定桁の数値を求めた後、前記特定桁が最終桁でなかったときには、
演算方法選択処理を行い、
前記特定桁の数値を求めた後、前記特定桁が最終桁であったときには、
暗証番号入力処理を終了することを特徴とする請求項４記載の暗証番号入力方法。
【請求項７】
前記暗証番号演算処理は、
前記利用者の入力する前記２つの数値の差分を求め、前記差分を前記暗証番号における前記特定桁の数値とすることを特徴とする請求項４記載の暗証番号入力方法。
【請求項８】
前記暗証番号演算処理は、
前記利用者の入力する前記２つの数値を加算して和を求め又は乗算して積を求め、前記和又は前記積が１桁のときは、前記和又は前記積を前記暗証番号における前記特定桁の数値とし、前記和又は前記積が２桁のときには、前記和又は前記積の一の位又は十の位のいずれか１つを選択して前記暗証番号における前記特定桁の数値とすることを特徴とする請求項４記載の暗証番号入力方法。
【請求項９】
前記暗証番号演算処理は、
前記利用者の入力する前記２つの数値を加算して和を求め又は乗算して積を求め、前記和又は前記積が１桁のときは、前記和又は積を前記暗証番号における特定桁の数値とし、前記和又は前記積が２桁のときには、前記和又は前記積の十の位の数値を前記暗証番号における前記特定桁の数値とし、前記和又は前記積の一の位の数値を前記特定桁の次の桁の数値とすることを特徴とする請求項４記載の暗証番号入力方法。
【請求項１０】
前記暗証番号演算処理は、
前記利用者の入力する前記２つの数値のうち、大きい方の数値を小さい方の数値で除して商を求め、前記商を前記暗証番号における前記特定桁の数値とすることを特徴とする請求項４記載の暗証番号入力方法。
【発明の詳細な説明】
【技術分野】
【０００１】
本発明は、金融機関の店舗、コンビニエンスストア等に設置され、利用者により取引操作を行う自動取引装置及びその暗証番号入力方法に関するものである。
【背景技術】
【０００２】
従来、自動取引装置における暗証番号入力方法としては、入力時の覗き見による暗証番号の漏えいを防止するため、テンキーの配列を暗証入力の都度変化させる方法が知られている、他の方法として、特許文献１には、利用者に対し、暗証番号の各桁に所定の演算を行うように各桁の入力の都度、演算方法をガイドし、この演算方法により利用者が入力した演算結果の数値に対し、利用者が行った演算と逆の演算を施して暗証番号を求める暗証番号入力装置の技術が記載されている。又、特許文献２には、タッチパネルを指で押下する際、利用者が気づかずに、手首の服の裾等がタッチパネルに触れてしまった場合でも、正常に入力が行える入力装置の技術が記載されている。
【先行技術文献】
【特許文献】
【０００３】
【特許文献１】特開２００８−１４０００９号公報
【特許文献２】特開２００８−２６２５０９号公報
【発明の概要】
【発明が解決しようとする課題】
【０００４】
しかしながら、特許文献１記載の従来の暗証番号入力方法の場合、暗証番号の各桁の数値を決定する都度、入力方法のガイダンスを行うので、利用者は、その都度、暗算を行って入力する数値を確定することになる。このため、打鍵ミスが起こりやすくなるという課題があった。更に、操作に時間がかかることによりタイムアウトが発生し易くなり、その結果、利用者の取引処理が中断するという課題があった。
【０００５】
特許文献２には、光学式のタッチパネルの技術が記載されているが、暗証番号入力方法に関する記載は、特にない。
【課題を解決するための手段】
【０００６】
本発明の自動取引装置は、利用者の操作によって取引を行う自動取引装置において、前記利用者に操作画面を表示し、入力を促すための入力操作部と、前記利用者に対し、暗証番号の入力を促す暗証番号入力画面を前記入力操作部に表示する入力画面表示手段と、前記利用者が前記暗証番号入力画面を用いて入力する２つの数値に基づき、前記暗証番号における特定桁の数値を生成するための演算の種類を前記利用者に選択させる演算選択手段と、前記利用者の入力する前記２つの数値に対し、前記利用者が選択した前記演算を行って前記暗証番号における前記特定桁の数値を求める暗証番号演算手段とを有している。
【０００７】
本発明の暗証番号入力方法は、利用者に操作画面を表示して入力を促すための入力操作部を有し、前記利用者の操作によって取引を行う自動取引装置における暗証番号入力方法であって、前記利用者に対し、暗証番号の入力を促す暗証番号入力画面を前記入力操作部に表示する入力画面表示処理と、前記利用者が前記暗証番号入力画面を用いて入力する２つの数値に基づき、前記暗証番号における前記特定桁の数値を生成する演算の種類を前記利用者に選択させる演算選択処理と、前記利用者の入力する前記２つの数値に対し、前記利用者が選択した前記演算を行って前記暗証番号における前記特定桁の数値を求める暗証番号演算処理とを有している。
【発明の効果】
【０００８】
発明の自動取引装置及びその暗証番号入力方法によれば、利用者の入力する２つの数値に対し、利用者が選択した演算を行って暗証番号における特定桁の数値を求めるように構成されているので、覗き見があったとしても暗証番号を盗まれないという効果がある。
【図面の簡単な説明】
【０００９】
【図１】図１は本発明の実施例１における図２の自動取引装置の機能ブロック図である。
【図２】図２は本発明の実施例１における自動取引装置の概略を示す外観図である。
【図３】図３は図１中の入力操作部上に取引開始前に表示される取引選択画面の例を示す図である。
【図４】図４は図１の自動取引装置の引出し取引を示すフローチャートである。
【図５】図５は図４中の暗証番号入力ステップＳ３の暗証番号入力画面例を示す図である。
【図６】図６は図４中の暗証番号入力ステップＳ３の処理を示すフローチャートである。
【図７】図７は本発明の実施例２における図４中の暗証番号入力ステップＳ３の処理を示すフローチャートである。
【発明を実施するための形態】
【００１０】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１１】
（実施例１の構成）
図２は、本発明の実施例１における自動取引装置１０の概略を示す外観図である。
【００１２】
自動取引装置１０は、例えば、現金自動預け払い機（以下「ＡＴＭ」という。）であり、金融機関の店舗、コンビニエンスストア等に設置され、利用者自身の操作により、現金の預入れ、現金の引出し、振込、残高照会、通帳記入等の取引を行うためのものである。自動取引装置１０は、熱や衝撃に対し一定の強度を有する鉄材で作られたキャビネット１１で覆われている。自動取引装置１０の前面は、利用者が操作するための操作面１１ａが略水平に利用者の方向に突き出している。操作面１１ａの奥方向には、操作面１１ａから連続して投入面１１ｂが設置されている。更に、投入面１１ｂに連続して挿入面１１ｃが略垂直に立ち上がっている。
【００１３】
前記操作面１１ａには、操作のためのガイダンスを表示し、各種取引のための入力を行う入力操作部１２が設けられている。投入面１１ｂには、入出金取引等、現金を扱う取引での現金の受付取出口である紙幣投入取出口１３と硬貨投入取出口１４が設けられている。挿入面１１ｃには、通帳の受付取出口である通帳取扱口１５、キャッシュカード（以下「カード」という。）の受付取出口であるカード取扱口１６及びスピーカ１７が設けられている。
【００１４】
図１は、本発明の実施例１における図２の自動取引装置１０の機能ブロック図である。
【００１５】
自動取引装置１０は、制御部３１と記憶部３２とを備えている。制御部３１は、プログラム制御により自動取引装置１０全体を制御するものである。制御部３１は、利用者に対し、暗証番号の入力を促す暗証番号入力画面を入力操作部１２に表示する入力画面表示手段３１ａと、利用者が暗証番号入力画面を用いて入力する２つの数値に基づき、暗証番号の特定桁の数値を生成する演算の種類を利用者に選択させて、演算の種類を確定する演算選択手段３１ｂと、利用者の入力する２つの数値に対し、利用者が選択した演算を行って暗証番号の特定桁の数値を求める暗証番号演算手段３１ｃとを有している。
【００１６】
制御部３１により制御される入力操作部１２は、文字や図形等で構成される操作画面を表示する図示しない液晶ディスプレイ（ＬＣＤ）から構成された画面表示部と、表示部上に設けられた情報入力のためのタッチパネル１２ｔとから構成されている。
【００１７】
タッチパネル１２ｔの動作原理には、各種の方式がある。例えば、抵抗膜方式のタッチパネル１２ｔは、次のような原理で動作する。即ち、基材となるガラスの表面に２枚重ねの透明電極フィルムが貼り合わせてある。２枚の電極フィルムの間には、小さな絶縁体であるドットスペーサが配置され、２枚の電極フィルムの間に間隙が設けられている。
【００１８】
２枚の電極フィルムの両端には、電極が接続されている。何も電極フィルムに接触していないときには、電極フィルム間に空間があるので電流が流れない。電極フィルムをタッチすることにより、２枚の電極フィルムが接触して電流が流れる。接触した位置によって、２枚の電極フィルムにそれぞれ接続されている電極の電圧が変化する。この電圧の変化により、タッチした位置の座標が求められる。本実施例１のタッチパネル１２ｔは、この抵抗膜方式で構成されている。
【００１９】
他のタッチパネルの方式として、指先と導電膜との間の静電容量の変化を捉えて位置を検出する静電容量方式、基板の複数の隅に圧電素子を取り付け、振動波を発生させる表面弾性波方式、赤外線方式等が知られている。
【００２０】
赤外線方式は、特許文献２に記載されている方式であり、赤外線の発光素子と受光素子とを対にした光軸をマトリックス状に構成し、その光軸を順次オン／オフすることで画面をスキャンし、指等で光軸が遮光されると、その場所を示す複数の座標から１つの座標を検出座標として算出する仕組みになっている。
【００２１】
赤外線方式は、このような仕組みになっているので、タッチパネル上の２か所が同時に押下されると、４箇所の座標が検出されることになる。例えば、座標（ｘ１，ｙ１）と座標（ｘ２，ｙ２）とが同時に押下されると、座標（ｘ１，ｙ１）と座標（ｘ２，ｙ２）の値が出力されると同時に、座標（ｘ１，ｙ２）と座標（ｘ２，ｙ１）の値も出力されるので、実際の押下された位置を確定できないということが起こる。本実施例１では、タッチパネル１２ｔ上の２箇所を同時押下することを前提としているため、赤外線方式のタッチパネルは、採用できない。
【００２２】
カード処理部３４は、カード取扱口１６に挿入されたカードの内容を読み取り／書き込みしてカード取扱口１６に排出する機能を有している。音声案内部３５は、利用者に対する各種案内及び連絡を、スピーカ１７を通じて音声で出力するものである。
【００２３】
通帳部３６は、通帳取扱口１５に挿入された通帳の記帳処理を行い通帳取扱口１５に排出する機能を有している。紙幣入出金部３７は、入金処理においては、紙幣投入取出口１３にセットされた紙幣を取り込み、紙幣の真贋を鑑別し、計数して自動取引装置１０内の図示しない収納庫に取り込み、出金処理においては、収納庫から紙幣を取出し、紙幣の真贋を鑑別し、計数して紙幣投入取出口１３に排出する機能を有している。硬貨入出金部３８は、硬貨投入取出口１４に接続されており、紙幣の場合とほぼ同様の処理を行う。
【００２４】
上位インタフェース部３３は、ホストコンピュータや監視センタとの通信を制御する機能を有している。
【００２５】
図３は、図１中の入力操作部１２上に取引開始前に表示される取引選択画面の例を示す図である。
【００２６】
本取引選択画面には、「いらっしゃいませ      ご希望の取引を押してください」の文言と、預入れ１２ａ―１、引出し１２ａ―２、振込１２ａ―３等の複数の取引選択ボタン１２ａ（＝１２ａ−１〜１２ａ−８）が配列されている。
【００２７】
（実施例１における自動取引装置１０の全体動作）
図４は、図１の自動取引装置１０の引出し取引を示すフローチャートである。
【００２８】
図１〜図４を用いて、引出し取引を例に自動取引装置１０全体の動作を説明する。
【００２９】
利用者が自動取引装置１０に接近すると、図示しない近接センサがこれを検出し、入力操作部１２に電源が投入される。電源が投入されると、図４のステップＳ１において、入力操作部１２に図３に示す取引選択画面が表示される。
【００３０】
図３の取引選択画面では、預入れボタン１２ａ―１、引出しボタン１２ａ―２、振込ボタン１２ａ―３、公共料金払込みボタン１２ａ―４、残高照会ボタン１２ａ―５、通帳記入ボタン１２ａ―６、振替ボタン１２ａ―７及び暗証番号変更ボタン１２ａ―８が、入力操作部１２にグラフィック表示され、利用者に取引の選択を促す。利用者がこれらの取引選択ボタン１２ａの１つを選択し、押下することにより、該当する取引が開始される。
【００３１】
例えば、利用者が自口座から現金を引き出すときは、引出しボタン１２ａ―２を押下する。引出しボタン１２ａ―２の押下により、引出し取引が開始され、ステップＳ２において、カードの插入を促すメッセージが操作画面に表示される。カードが、カード取扱口１６に挿入されると、カード処理部３４は、カードの磁気ストライプを読み取り、記憶部３２に記憶する。
【００３２】
次に、ステップＳ３において、入力操作部１２には、暗証番号を入力するための操作画面が表示される。この操作画面を用いて、利用者により暗証番号が入力される。本ステップＳ３における暗証番号入力処理は、図６において後に詳述する。
【００３３】
ステップＳ４において、入力操作部１２には、希望する引出し額を入力するための操作画面が表示される。この操作画面を用いて、利用者により引出し額が入力される。
【００３４】
ステップＳ５において、口座番号、金額、暗証番号等が制御部３１で編集され、図示しないホストコンピュータに送信される。ホストコンピュータでは、自動取引装置１０からの電文を受信すると、受信した口座番号をキーとして当該利用者の口座ファイルから口座情報を読み出し、受信した暗証番号とホストコンピュータが保持している暗証番号とが一致するか否かチェックする。
【００３５】
暗証番号が不一致のときは、ホストコンピュータは、その旨を自動取引装置１０に送信する。自動取引装置１０は、暗証番号入力画面を入力操作部１２に表示し、利用者に暗証番号の再入力を促す。暗証番号が一致したときは、ホストコンピュータは、当該取引を有効とし、当該口座ファイルの残高から受信した入金額を減算し新残高とする。
【００３６】
ステップＳ６において、ホストコンピュータは、取引有効の旨を自動取引装置１０に送る。自動取引装置１０において取引有効の旨を受信すると、紙幣入出金部３７は、自動取引装置１０内部の図示しない保管庫から紙幣を取り出し、計数し、紙幣投入取出口１３にセットする。硬貨入出金部３８も同様に、保管庫から硬貨を取り出し、計数し、硬貨投入取出口１４にセットする。その後、入力操作部１２には、通帳、カード及び現金の取り出しを促すメッセージが表示され、利用者は、通帳取扱口１５、カード取扱口１６及び紙幣投入取出口１３、硬貨投入取出口１４から通帳、カード及び現金を取り出すと引出し取引が終了する。
【００３７】
（実施例１における暗証番号入力方法）
本実施例１における暗証番号の演算処理（例えば、暗証番号の計算方法）には、例えば、次の（１）〜（６）のようなものがある。
【００３８】
（１）  ２つの数値の差分を求める方法
利用者の入力する２つの数値の差分を求め、その差分を暗証番号の特定桁の数値とする方法である。
【００３９】
例えば、利用者の暗証番号が「１２３４」とする。このとき、利用者によって、暗証番号の１桁目に対応する入力として、「４」、「３」が入力される。この２つの数値の差分４−３＝１が暗証番号演算手段３１ｃで計算されて、暗証番号の１桁目が１に確定する。次に、暗証番号の２桁目に対応する入力として、「３」、「１」が入力される。この２つの数値の差分３−１＝２が求められて、暗証番号の２桁目が２に確定する。以下同様に、暗証番号の３桁目、４桁目が確定する。
【００４０】
（２）  ２つの数値の和を求める方法
利用者の入力する２つの数値を加算して和を求め、和が１桁のときは、その和を暗証番号の特定桁の数値とし、和が２桁のときには、和の一の位又は十の位のいずれか１つを選択して暗証番号の前記特定桁の数値とする方法である。
【００４１】
例えば、利用者の暗証番号が「１２３４」とする。このとき、利用者によって、暗証番号の１桁目に対応する入力として、「５」、「６」が入力される。この２つの数値の和５＋６＝１１が暗証番号演算手段３１ｃで計算されて、１の位が選択されて暗証番号の１桁目が１に確定する。次に、暗証番号の２桁目に対応する入力として、「５」、「７」が入力される。この２つの数値の和５＋７＝１２が求められて、１の位が選択されて暗証番号の２桁目が２に確定する。以下同様に、暗証番号の３桁目、４桁目が確定する。
【００４２】
（３）  ２つの数値の積を求める方法
利用者の入力する２つの数値を乗じて積を求め、積が１桁のときは、その積を暗証番号の特定桁の数値とし、積が２桁のときには、積の一の位又は十の位のいずれか１つを選択して暗証番号の前記特定桁の数値とする方法である。
【００４３】
例えば、利用者の暗証番号が「１２３４」とする。このとき、利用者によって、暗証番号の１桁目に対応する入力として、「３」、「７」が入力される。この２つの数値の積３×７＝２１が暗証番号演算手段３１ｃで計算されて、１の位が選択されて暗証番号の１桁目が１に確定する。次に、暗証番号の２桁目に対応する入力として、「２」、「６」が入力される。この２つの数値の積２×６＝１２が求められて、１の位が選択されて暗証番号の２桁目が２に確定する。以下同様に、暗証番号の３桁目、４桁目が確定する。
【００４４】
（４）  ２つの数値の和を求め方法の変形
利用者の入力する２つの数値を加算して和を求め、和が１桁のときは、その和を暗証番号の特定桁の数値とし、和が２桁のときには、和の十の位の数値を暗証番号の特定桁の数値とし、和の一の位の数値を特定桁の次の桁の数値とする方法である。
【００４５】
例えば、利用者の暗証番号が「１２３４」とする。このとき、利用者によって、暗証番号の最初の入力として、「５」、「７」が入力される。この２つの数値の和５＋７＝１２が暗証番号演算手段３１ｃで計算されて、十の位の数値を暗証番号の１桁目とし、一の位の数値を暗証番号の２桁目とする。暗証番号の３桁目、４桁目については、前述した（２）の方法で求める。
【００４６】
（５）  ２つの数値の積を求める方法の変形
利用者の入力する２つの数値を乗算して積を求め、積が１桁のときは、積を暗証番号の特定桁の数値とし、積が２桁のときには、積の十の位の数値を暗証番号の特定桁の数値とし、前記積の一の位の数値を特定桁の次の桁の数値とする方法である。
【００４７】
例えば、利用者の暗証番号が「１２３４」とする。このとき、利用者によって、暗証番号の最初の入力として、「２」、「６」が入力される。この２つの数値の積２×６＝１２が暗証番号演算手段３１ｃで計算されて、十の位の数値である「１」を暗証番号の１桁目とし、一の位の数値である「２」を暗証番号の２桁目とする。暗証番号の３桁目、４桁目については、前述した（２）の方法で求める。
【００４８】
（６）  ２つの数値の商を求める方法
利用者の入力する２つの数値のうち、大きい方の数値を小さい方の数値で除して商を求め、商を暗証番号の特定桁の数値とする方法である。
【００４９】
例えば、利用者の暗証番号が「１２３４」とする。このとき、利用者によって、暗証番号の１桁目に対応する入力として、「４」、「３」が入力される。このとき、４÷３＝１．３３３・・・が暗証番号演算手段３１ｃで計算されて、暗証番号の１桁目が１に確定する。次に、暗証番号の２桁目に対応する入力として、「５」、「２」が入力される。このとき、５÷２＝２．５が求められて、暗証番号の２桁目が２に確定する。以下同様に、暗証番号の３桁目、４桁目が確定する。
【００５０】
図５は、図４中の暗証番号入力ステップＳ３の暗証番号入力画面例を示す図である。
【００５１】
暗証番号入力画面の上部には、
「暗証番号の計算方法を選択して、１桁目の暗証番号を２桁の数字で入力して下さい。」のメッセージが表示されている。このメッセージの下部には、減法、加法、乗法、及び除法の四則演算を示す「−」、「＋」、「×」、「÷」のマークが付された計算方法選択ボタン１２ｂが配置されている。利用者は、このいずれかの計算方法選択ボタン１２ｂを押下することにより、前述した「暗証番号の計算方法」のいずれか１つを選択することができる。計算方法選択ボタン１２ｂの下部には、テンキー１２ｃが設けられている。
【００５２】
図６は、図４中の暗証番号入力ステップＳ３の処理を示すフローチャートである。
【００５３】
ステップＳ１１において、入力画面表示手段３１ａにより、図５に示す暗証番号入力画面が表示される。利用者により計算方法選択ボタン１２ｂが押下されたときには、ステップＳ１２において計算方法の指定有りとなってステップＳ１３へ進む。ステップＳ１３において、演算選択手段３１ｂは、利用者が指定した計算方法を記憶部３２に記憶して設定する。
【００５４】
ステップＳ１１において、計算方法選択ボタン１２ｂが押下されず、テンキー１２ｃが押下されたときには、ステップＳ１２において計算方法の指定無しとなってステップＳ１４へ進む。ステップＳ１４において、演算選択手段３１ｂは、利用者の入力する２つの数値の差分を求め、その差分を暗証番号の特定桁の数値とする計算方法を記憶部３２に記憶して設定する。
【００５５】
ステップＳ１５において、利用者によりテンキー１２ｃから２つの数値が暗証番号演算手段３１ｃに入力される。この２つの数値は、テンキー１２ｃのボタンを同時に押下してもよいし、テンキー１２ｃのボタンを順次押下してもよい。
【００５６】
ステップＳ１６において、暗証番号演算手段３１ｃは、設定された暗証番号計算方法を用いて、入力された２つの数値を計算し、その結果の数値を暗証番号の特定桁として記憶部３２に記憶する。
【００５７】
ステップＳ１７において、暗証番号の全ての桁（例えば、４桁）の算出が完了したか否かが判定され、完了していないときには、ステップＳ１１へ戻る。ステップＳ１１において、入力画面表示手段３１ａは、図５に示す暗証番号入力画面を表示する。このとき、暗証番号の特定桁が例えば２桁目であれば、図５に示す暗証番号入力画面の上部のメッセージは、
【００５８】
「暗証番号の計算方法を選択して、２桁目の暗証番号を２桁の数字で入力して下さい。」のメッセージに変更されて表示される。ステップＳ１１において、再度、暗証番号の計算方法が選択される。このようにして、暗証番号の２桁目、３桁目、４桁目が順次算出される。
【００５９】
ステップＳ１７において、暗証番号の全ての桁の算出が完了したときには、本暗証番号入力ステップＳ３の処理が終了する。
【００６０】
（実施例１の効果）
本実施例１によれば、利用者の入力する２つの数値に対し、利用者が選択した暗証番号の計算方法を行って暗証番号における特定桁の数値を求めるように構成されている。そのため、第三者の覗き見があったとしても、暗証番号を直接入力していないので、第三者が暗証番号を把握できないという効果がある。
【００６１】
更に、テンキー１２ｃにおける入力において、２つの数字の同時押下を有効としたので暗証入力に係る時間を短縮することができる。
【実施例２】
【００６２】
（実施例２の構成）
実施例２の構成は、実施例１と同様である。
【００６３】
（実施例２における自動取引装置１０の全体動作）
本実施例２における自動取引装置１０の全体動作は、実施例１と同様である。
【００６４】
（実施例２における暗証番号入力方法）
図７は、本発明の実施例２における図４中の暗証番号入力ステップＳ３の処理を示すフローチャートであり、実施例１を示す図６中の要素と共通の要素には共通の符号が付されている。
【００６５】
本実施例２における暗証番号入力方法は、実施例１とほぼ同様である。
本実施例２と実施例１との相違点は、ステップＳ１７において、暗証番号の全ての桁（例えば、４桁）の算出が完了していないときの戻り先が、実施例１では、ステップＳ１１に戻ったが、本実施例２では、ステップＳ１５に戻る点である。つまり、実施例１では、暗証番号の各桁の算出の度に、暗証番号の計算方法の選択を利用者が行うようにしたが、本実施例２では、２桁目以降の暗証番号の算出においては、１桁目で選択した計算方法を踏襲するようにした点が異なっている。
【００６６】
（実施例２の効果）
本実施例２によれば、実施例１の効果に加え、暗証番号の計算方法の選択を桁毎に行わないで、１桁目で選択した計算方法を踏襲するようにしたので、利用者の入力操作が簡便になり、入力時間の短縮、誤り入力の抑止等の効果がある。
【００６７】
（変形例）
本発明は、上記実施例に限定されず、その他の種々の利用形態や変形が可能である。この利用形態や変形例としては、例えば、次の（ａ）〜（ｃ）のようなものがある。
【００６８】
（ａ）  実施例１，２では、自動取引装置１０として、ＡＴＭを例に説明したが、これに限定されない。利用者による操作で取引を行う装置であれば、広く適用できる。例えば、駅等に設置される券売機、空港等に設置される航空券発行機、スーパーマーケットに設置されるセルフレジ、市役所等に設置される証明書発行機等が考えられる。
【００６９】
（ｂ）  実施例１の暗証番号入力方法では、例として、（１）〜（６）の方法を示したが、これに限定されない。利用者の入力する２つの数値を、暗証番号の特定桁に写像する関数であれば特に限定されない。
【００７０】
（ｃ）  実施例１では、図６の説明において、ステップＳ１１で計算方法選択ボタン１２ｂが押下されないでテンキー１２ｃが押下されたときには、２つの数値の差分を求める方法を計算方法として採用したが、これを、従来通りの暗証番号を直接打ち込む処理を行うようにしてもよい。
【符号の説明】
【００７１】
１０                    自動取引装置
１２                    入力操作部
１２ａ                  取引選択ボタン
１２ｂ                  計算方法選択ボタン
１２ｃ                  テンキー
１２ｔ                  タッチパネル
３１                    制御部
３１ａ                  入力画面表示手段
３１ｂ                  演算選択手段
３１ｃ                  暗証番号演算手段
３２                    記憶部
【図１】
2012103887.tif 000003
【図２】
2012103887.tif 000004
【図３】
2012103887.tif 000005
【図４】
2012103887.tif 000006
【図５】
2012103887.tif 000007
【図６】
2012103887.tif 000008
【図７】
2012103887.tif 000009